(57)【特許請求の範囲】
【請求項１】
攪拌用ボールを収納した容器本体と注出ノズルを有するキャップとからなる注出容器であって、
キャップは、頂壁と側筒壁とからなるキャップ基体と、該キャップ基体に開閉自在に取着された開閉蓋とからなり、
前記キャップ基体は、頂壁に吐出口を設けた注出ノズルを立設し、頂壁内面に注出ノズルに連通し液流路を形成する規制筒を垂設し、側筒壁内周に容器口部に刻設したネジに螺合するネジを刻設しており、
前記開閉蓋は、内面に吐出口を密封する栓体を立設しており、
前記規制筒は、その筒端面に、円周を等間隔に分割した分割線から軸方向に延びる突出面と、該突出面の尖端縁からキャップ基体の側筒壁内周に刻設されたネジと同一の螺旋方向に螺旋状に延びるテーパ面とからなる複数の規制端部を有していることを特徴とする注出容器のキャップ。
【発明の詳細な説明】
【０００１】
【発明の属する技術分野】
本発明は、注出容器のキャップ、とくに、キャップの基体に注出ノズルを立設したキャップに関する。
【０００２】
【従来の技術】
内容液攪拌用のボールを収納した容器本体の口部内周に、吐出口を設けた注出ノズルを嵌着し、容器口部外周に、吐出口を閉鎖する栓体を設けたキャップを被嵌するようにした注出容器は、例えば、実用新案登録２５４９０８０号公報、実公平８−４４５７号公報、実公平６−５０３６２号公報にみられるよう従来より公知である。
【０００３】
【発明が解決しようとする課題】
上記公報記載の従来の注出容器は、注出ノズルを容器口部内周に嵌着し、キャップを容器口部外周に被嵌するようにしており、注出ノズルとキャップとが別体となっている。
そのため、注出ノズルとキャップをそれぞれ別個に成型しなければならず、また、注出容器の製造工程において、容器本体に注出ノズルを嵌着する工程と、キャップを被嵌する工程の二工程を必要とした。
【０００４】
本発明は、上記の問題を克服するため、注出ノズルとキャップとを一体成型し、注出容器の製造工程を一工程減らすことを技術的課題とし、キャップ基体の頂壁に注出ノズルを立設し、キャップの開閉蓋に注出ノズルの吐出口を密封する栓体を立設した注出容器のキャップを提供することを目的とする。
【０００５】
【課題を解決するための手段】
本発明は、上記の技術的課題を達成するため、注出容器のキャップとして、
攪拌用ボールを収納した容器本体と注出ノズルを有するキャップとからなる注出容器であって、キャップは、頂壁と側筒壁とからなるキャップ基体と、該キャップ基体に開閉自在に取着された開閉蓋とからなり、前記キャップ基体は、頂壁に吐出口を設けた注出ノズルを立設し、頂壁内面に注出ノズルに連通し液流路を形成する規制筒を垂設し、側筒壁内周に容器口部に刻設したネジに螺合するネジを刻設しており、前記開閉蓋は、内面に吐出口を密封する栓体を立設しており、前記規制筒は、その筒端面に、円周を等間隔に分割した分割線から軸方向に延びる突出面と、該突出面の尖端縁からキャップ基体の側筒壁内周に刻設されたネジと同一の螺旋方向に螺旋状に延びるテーパ面とからなる複数の規制端部を有していることを特徴とする構成を採用する。
【０００６】
【発明の実施の形態】
次に、本発明の実施形態について、図面を参照して説明する。
本発明の注出容器は、化粧料、毛染料、修正液等の注出容器として使用され、複数種類の比重が異なる内容液が収容されている。
図１において、Ａは、可撓性の合成樹脂によって成型された容器本体、Ｂは、合成樹脂で成型されたキャップで、キャップ基体Ｂ１と、該キャップ基体Ｂ１に蝶番Ｂ３により取着された開閉蓋Ｂ２とからなっている。
【０００７】
容器本体Ａは、口部１と胴部２とを有しており、口部１の外周にはネジ３が刻設されている。
容器本体Ａ内には、複数の内容液を混合攪拌するためのボール４（図４参照）が収容されている。
【０００８】
図２に示すように、キャップ基体Ｂ１は、頂壁５と側筒壁６とからなっている。
頂壁５の中央部には、注出ノズル７が立設されており、該注出ノズル７には吐出口８が設けられている。
頂壁５の下面には、注出ノズル７の内周に連続する内周を有し、液流路を形成する規制筒９が垂設されており、規制筒９の下端面には、ボール４の動きを規制する規制端部１０ａ，ｂが形成されている。
【０００９】
図３に示すように、規制端部１０ａ，ｂは、筒端円周を二分し、その分割線から軸方向に延びる突出面１１ａ，ｂと、該突出面１１ａ，ｂの尖端縁からキャップ基体Ｂ１の側筒壁６内周に刻設されたネジと同一の螺旋方向に螺旋状に延びるテーパ面１２ａ，ｂとからなっている。
規制端部１０のテーパ面１２ａ，ｂによって形成される規制筒９側面と、規制筒９内周の開口１３によって、注出ノズル７への液流入口Ｘが形成されるようになっている。
【００１０】
図２に示すように頂壁５下面の周辺部には、容器本体Ａの口部１内周に嵌着する密封リング１４が垂設されている。
頂壁５上面の所定個所には、開閉蓋Ｂ２と連結され、蝶番Ｂ３を形成する連結片１５ａ，ｂが連設されており、該連結片１５ａ，ｂを除く上端周縁部には外方に突出する膨出環１６が設けられ、側筒壁６上端面とともに開閉蓋Ｂ２の嵌合部が形成されている。
前記連結片１５ａ，ｂの間の側筒壁６外周面には、切欠部１７が形成され、該切欠部１７の反対側の側筒壁６外周面には凹部１８が設けられている。
側筒壁６の内周上方部には、容器口部１の外周に刻設されたネジ３に螺合するネジ１９が刻設されている。
【００１１】
開閉蓋Ｂ２は、ドーム状の頂壁２０と、該頂壁２０の蝶番Ｂ３の連結片１５の部分を除く周縁に設けられた嵌合リング２１とを有している。
頂壁２０の内面中央には、閉蓋時に前記注出ノズル７の吐出口８を密封する栓体２２が立設され、栓体２２の外周には、栓体２２を囲む突出リング２３が立設されている。
前記嵌合リング２１の蝶番Ｂ３の反対側には、つまみ２４が設けられ、開閉蓋Ｂ２の開閉操作を容易にするようにしている。
【００１２】
蝶番Ｂ３は、いわゆる３点ヒンジであって、連結片１５ａ，ｂの中間部には、連結片１５を折曲、復元可能とするための凹部２５が設けられている。
前記開閉蓋Ｂ２の頂壁２０には、切込部２６が設けられ、切込部２６の端部とキャップ基体Ｂ１の切欠部１７の下端との間には、押え片２７が連設されている。
【００１３】
次に、本発明注出容器の構成に基づいて、作用効果について説明する。
使用にあたって、注出容器を上下に振ると、ボール４が上下動することによって比重が異なる複数種類の内容液が攪拌混合され、容器胴部２を押圧すると、混合された内容液が注出ノズル７から吐出される。
【００１４】
図４に示すように、注出容器を倒立して吐出するときには、ボール４は、規制筒９と密封リング１４との間にはまり込み、規制筒９の注出ノズル７への液流入口Ｘを封鎖することはない。
ボール４が規制筒９の開口１３中心に落ちても、規制端部１０ａ，ｂのいずれかの突出面１１の尖端縁からテーパ面１２に沿って誘導され、テーパ面１２の底端部で規制端部１０ａ，ｂから外れて、規制筒９外周と頂壁５、密封リング１４との間に落ち込み、規制筒９の開口１３を塞ぐことはない。
【００１５】
また、キャップＢの成型にあたって、規制筒９の規制端部１０ａ，ｂは、そのテーパ面１２ａ，ｂが、キャップ基体Ｂ１のネジ１９と同方向の螺旋状に延びるテーパ面１２となっているので、金型からキャップＢを抜き取る場合、キャップ基体Ｂ１のネジ部とともに無理なく型抜きができる。
【００１６】
上記実施形態では、容器口部外周とキャップ基体の側筒壁の内周に相互に螺合するネジを刻設したが、容器口部外周と側筒壁に嵌合突条を形成し、キャップを容器口部に打栓することによって嵌着するようにしてもよい。
また、キャップ開閉蓋は蝶番によって開閉自在となるようにキャップ基体に取着したが、開閉蓋を別体として被せ蓋としてもよい。
【００１７】
【発明の効果】
本発明は、上記のように構成されているから、次の効果を奏する。
キャップ基体に注出ノズルを立設しているので、キャツプと注出ノズルを一体成型することができ、注出ノズルを容器口部に取着する必要がなくなったので、製造工程を減らすことができる。
【００１８】
注出ノズルに続く規制筒の端面に、規制端部を設けているので、注出容器の倒立時にボールが規制筒の開口を塞ぐことなく、またテーパ面がキャップ基体のネジと同方向の螺旋面としているので、成型時の型抜きも容易になった。
【図面の簡単な説明】
【図１】本発明注出容器の一部断面正面図である。
【図２】開閉蓋を開いた状態のキャップの説明図で、（ａ）は平面図、（ｂ）は断面正面図、（ｃ）は底面図である。
【図３】キャップ基体の規制筒の説明図で、（ａ）は正面図、（ｂ）は底面図（ｃ）は断面側面図である。
【図４】容器の倒立状態を示す断面図である。
【符号の説明】
Ａ          容器本体
Ｂ          キャップ
Ｂ１        キャップ基体
Ｂ２        開閉蓋
Ｂ３        蝶番
１          口部
２          胴部
３、１９    ネジ
４          ボール
５、２０    頂壁
６          側筒壁
７          注出ノズル
８          吐出口
９          規制筒
１０ａ，ｂ    規制端部
１１ａ，ｂ    突出面
１２ａ，ｂ    テーパ面
１３          開口
１４          密封リング
１５ａ，ｂ    連結片
１６          膨出環
２１          嵌合リング
２２          栓体
２３          突出リング
【図１】
0003795216.tif 000002
【図２】
0003795216.tif 000003
【図３】
0003795216.tif 000004
【図４】
0003795216.tif 000005